(57)【要約】  インテリジェント電動ベッドシステムであって、電動ベッド、端末機器及びサーバを含む。前記電動ベッドは、ユーザのバイタルサインをモニタリングし、かつ、モニタリングデータを無線通信モジュールに伝送するためのモニタリングモジュールと、無線通信モジュールからの制御信号を受信し、かつ、制御信号に基づき電動ベッドの状態を調整するための主制御モジュールとを含み、前記無線通信モジュールは、受信した前記モニタリングデータをサーバに伝送し、サーバからの制御信号を受信するとともに、前記主制御モジュールに前記制御信号を送信し、前記サーバは、端末機器が送信した設定信号及び前記モニタリングデータに基づき、前記制御信号を生成する。端末機器は、サーバを介して電動ベッドの状態を調整することに適用され、前記端末機器はサーバに設定信号を送信する。当該電動ベッドシステムにより適時に異なるユーザの使用状況に応じた改変を行い、ユーザの睡眠状況を改善することができる。
2019507619.tif 000002
【特許請求の範囲】
【請求項１】
ユーザのバイタルサインをモニタリングし、かつ、モニタリングデータを無線通信モジュールに伝送するためのモニタリングモジュールと、
無線通信モジュールからの制御信号を受信し、かつ、制御信号に基づき電動ベッドの状態を調整するための主制御モジュールと、を含み、
ユーザのバイタルサインをリアルタイムでモニタリングし、かつ、モニタリングデータに基づき電動ベッドの状態を調整するための電動ベッドであって、
前記無線通信モジュールは、受信した前記モニタリングデータをサーバに伝送し、サーバからの制御信号を受信するとともに、前記主制御モジュールに前記制御信号を送信し、前記サーバは、端末機器が送信した設定信号及び前記モニタリングデータに基づき、前記制御信号を生成することを特徴とする電動ベッド。
【請求項２】
前記主制御モジュールは、電動ベッドの状態を含む情報データを無線通信モジュールに伝送し、前記無線通信モジュールは、前記情報データを前記サーバに伝送することを特徴とする請求項１に記載の電動ベッド。
【請求項３】
前記無線通信モジュールの接続方式は、Ｗｉ−Ｆｉ、ブルートゥース、赤外線またはＺｉｇＢｅｅのうちの少なくとも１種であることを特徴とする請求項１に記載の電動ベッド。
【請求項４】
前記モニタリングデータは、心拍数、呼吸数、鼾音の強さ、呼吸の強さ、寝返り及び寝転がり回数のうちの少なくとも１種を含むことを特徴とする請求項１に記載の電動ベッド。
【請求項５】
前記電動ベッドの状態は、ベッドパネルの傾斜角度、モータの状態及び指示ランプの状態のうちの少なくとも１種を含むことを特徴とする請求項１に記載の電動ベッド。
【請求項６】
前記ベッドパネルは、頭部ベッドパネル、下肢部ベッドパネル、臀部ベッドパネル及び腰部ベッドパネルのうちの少なくとも１種を含むことを特徴とする請求項５に記載の電動ベッド。
【請求項７】
前記サーバは、クラウドサーバであることを特徴とする請求項１に記載の電動ベッド。
【請求項８】
サーバを介して電動ベッドの状態を調整するための端末機器であって、前記端末機器は、サーバに設定信号を送信し、前記サーバは、前記設定信号に基づき電動ベッドの状態を調整する制御信号を生成するとともに、前記電動ベッドに前記制御信号を送信することを特徴とする端末機器。
【請求項９】
前記端末機器は、電動ベッドのユーザのバイタルサインを示すモニタリングデータを、サーバから受信し、かつ、表示することを特徴とする請求項８に記載の端末機器。
【請求項１０】
前記端末機器は、電動ベッドの状態を含む情報データを、サーバから受信し、かつ、表示することを特徴とする請求項８に記載の端末機器。
【請求項１１】
前記端末機器とサーバとの通信方式は、Ｗｉｆｉ、２Ｇ、３Ｇ及び４Ｇのうちの少なくとも１種を含むことを特徴とする請求項８に記載の端末機器。
【請求項１２】
前記モニタリングデータは、心拍数、呼吸数、鼾音の強さ、呼吸の強さ、寝返り及び寝転がり回数のうちの少なくとも１種を含むことを特徴とする請求項９に記載の端末機器。
【請求項１３】
前記電動ベッドの状態は、ベッドパネルの傾斜角度、モータの状態及び指示ランプの状態のうちの少なくとも１種を含むことを特徴とする請求項１０に記載の端末機器。
【請求項１４】
請求項１〜７のいずれか１項に記載の電動ベッドと、請求項８〜１３のいずれか１項に記載の端末機器と、サーバとを含むことを特徴とする電動ベッドシステム。
【発明の詳細な説明】
【技術分野】
【０００１】
本発明は、インテリジェント電動ベッドシステムに関するものである。
【背景技術】
【０００２】
電動ベッドは、複数枚の相互にヒンジ接続されたベッドパネルと、ベッドパネルを立ち上げる、折り返すように駆動するための駆動モータ及び連接棒機構とを含む。
【０００３】
既存の電動ベッドは端末機器を使用して電動ベッドの姿勢を調整する。そのため、電動ベッド１台ごとに１つの付属端末機器を追加配置する必要がある。大規模生産において、それらのリモートコントローラは追加の生産コストを発生する。同時に、それらの付属リモートコントローラには遺失及び／または損壊する可能性が存在し、それらの状況が出現した場合、ユーザは一時的に電動ベッドを調節することができなくなり、諸々の不便が生じる。
【０００４】
また、既存の端末機器は、ユーザのリモートコントロールに基づき電動ベッドに予め設定された実行指令を発することができるだけであり、異なる使用状況に対して改変を施すことはできず、この種の単一機能では現在すでにユーザの需要を満足することができなくなっている。例えば、ユーザの睡眠状態に変化が発生した場合、電動ベッドはユーザの睡眠に対して適時の介入を行うことができず、ユーザの睡眠状況を効果的に改善することができない。
【発明の概要】
【０００５】
ここで注意すべきは、本発明の目的は、背景技術においてすでに判明している１つまたは複数の欠点を克服することにある点である。
【０００６】
この目的のために、本発明に基づきインテリジェント端末で制御する電動ベッドシステムが提供されており、以下の技術案により実現される。
【０００７】
ユーザのバイタルサインをモニタリングし、かつ、モニタリングデータを無線通信モジュールに伝送するためのモニタリングモジュールと、
無線通信モジュールからの制御信号を受信し、かつ、制御信号に基づき電動ベッドの状態を調整するための主制御モジュールと、を含み、
ユーザのバイタルサインをリアルタイムでモニタリングし、かつ、モニタリングデータに基づき電動ベッドの状態を調整するための電動ベッドであって、
前記無線通信モジュールは、受信した前記モニタリングデータをサーバに伝送し、サーバからの制御信号を受信するとともに、前記主制御モジュールに前記制御信号を送信し、前記サーバは、端末機器が送信した設定信号及び前記モニタリングデータに基づき、前記制御信号を生成することを特徴とする。
【０００８】
更に、前記主制御モジュールは、電動ベッドの状態を含む情報データを無線通信モジュールに伝送し、前記無線通信モジュールは、前記情報データを前記サーバに伝送する。
【０００９】
更に、前記無線通信モジュールの接続方式は、Ｗｉ−Ｆｉ、ブルートゥース（登録商標）、赤外線またはＺｉｇＢｅｅ（登録商標）のうちの少なくとも１種である。
【００１０】
更に、前記モニタリングデータは、心拍数、呼吸数、鼾音の強さ、呼吸の強さ、寝返り及び寝転がり回数のうちの少なくとも１種を含む。
【００１１】
更に、前記電動ベッドの状態は、ベッドパネルの傾斜角度、モータの状態及び指示ランプの状態のうちの少なくとも１種を含む。
【００１２】
更に、前記ベッドパネルは、頭部ベッドパネル、下肢部ベッドパネル、臀部ベッドパネル及び腰部ベッドパネルのうちの少なくとも１種を含む。
【００１３】
更に、前記サーバは、クラウドサーバである。
【００１４】
サーバを介して電動ベッドの状態を調整するための端末機器であって、前記端末機器は、サーバに設定信号を送信し、前記サーバは、前記設定信号に基づき電動ベッドの状態を調整する制御信号を生成するとともに、前記電動ベッドに前記制御信号を送信することを特徴とする。
【００１５】
更に、前記端末機器は、電動ベッドのユーザのバイタルサインを示すモニタリングデータを、サーバから受信し、かつ、表示する。
【００１６】
更に、前記端末機器は、電動ベッドの状態を含む情報データを、サーバから受信し、かつ、表示する。
【００１７】
更に、前記端末機器とサーバとの通信方式は、Ｗｉｆｉ、２Ｇ、３Ｇ及び４Ｇのうちの少なくとも１種を含む。
【００１８】
更に、前記モニタリングデータは、心拍数、呼吸数、鼾音の強さ、呼吸の強さ、寝返り及び寝転がり回数のうちの少なくとも１種を含む。
【００１９】
更に、前記電動ベッドの状態は、ベッドパネルの傾斜角度、モータの状態及び指示ランプの状態のうちの少なくとも１種を含む。
【００２０】
ユーザは、本発明が提案する端末機器上で電動ベッドに関する関連の設定を実施することにより、手軽に電動ベッドを制御することができる。同時に、より好適な調整を実施するために、端末上に電動ベッドの状態を含む情報データが表示され、直観的かつ適時にユーザに電動ベッドの現在の状態を理解させることができる。
【００２１】
インテリジェント電動ベッドシステムであって、上記電動ベッドと、端末機器と、サーバとを含むことを特徴とする。
【００２２】
本発明が提案しているインテリジェント電動ベッドシステムでは、端末機器を介してサーバ中に各々の電動ベッドの状態を改変する条件を予め設定する。電動ベッドはサーバとリアルタイムの接続を保持しているとともに、サーバにユーザのバイタルサインに関するモニタリングデータを伝送し、モニタリングデータが電動ベッドの状態を変化させる条件に合致すると、サーバが電動ベッドに制御信号を送信して電動ベッドの状態を改変する。当該電動ベッドシステムにより、適時に異なるユーザの使用状況について改変を施し、ユーザの睡眠状況を改善することができる。
【００２３】
ここで理解すべきは、本発明においては、明らかな矛盾または互換性がない場合を除き、すべての特徴、変形方式及び／または具体的な実施例を多種類の組合せに応じて互いに結合することができる点である。
【００２４】
以下の非制限的な説明としての具体的な実施例を示すとともに、添付図面を結合することにより、本発明のその他の特徴及び利点は自明のものとなる。
【図面の簡単な説明】
【００２５】
【図１】本発明に基づくインテリジェント電動ベッドシステムの構造概略図である。
【図２】本発明に基づくインテリジェント電動ベッドシステムの制御の流れ図である。
【発明を実施するための形態】
【００２６】
以下においては、実施例及び添付図面に基づき本発明について詳細に説明する。
【００２７】
図１を参照すると、そこには本発明におけるインテリジェント電動ベッドシステムの構造概略図が示されている。
【００２８】
電動ベッドは、相互にヒンジ接続された複数枚のベッドパネル、ベッドパネルを接続する連接棒機構、及び連接棒機構を駆動する駆動モータを含み、当該電動ベッドは、モニタリングモジュール１、主制御モジュール２、無線通信モジュール３を更に含む。
【００２９】
モニタリングモジュール１は、ユーザのバイタルサインをモニタリングするために用いられ、体温モニタリングモジュール、心拍数モニタリングモジュール、呼吸頻度検出計、デシベルメータなどを含む。モニタリングモジュール１は、少なくともユーザのバイタルサインのモニタリングデータを取得し、当該モニタリングデータは、ユーザの心拍数、呼吸数、鼾音の強さ、呼吸の強さ、寝返り及び寝転がり回数などを含む。モニタリングモジュール１はモニタリングデータを無線通信モジュール３に伝送することに適しており、無線通信モジュール３は受信したモニタリングデータをサーバに伝送する。サーバは前記モニタリングデータを記憶する。オプションとして、当該サーバはモニタリングデータを端末機器に送信して、端末機器に電動ベッドにおけるユーザのバイタルサインを示す前記モニタリングデータを表示させることができる。
【００３０】
モニタリングモジュール１は、電動ベッドのベッド体上部の、人体の心臓に近接した位置に取り付けられ、正確なデータを取得する。
【００３１】
モニタリングモジュール１は、ユーザの心拍数、呼吸数、鼾音の強さ、呼吸の強さ、寝返り及び寝転がり回数をモニタリングすることができる。
【００３２】
心拍数、呼吸数、呼吸の強さは、ユーザの基本的な身体状況を判断することができる。
【００３３】
寝返り及び寝転がり回数は、ユーザの基本的な睡眠状況を判断することができる。
【００３４】
鼾音の強さをモニタリングすると、リアルタイムでユーザの睡眠に介入し、鼾症状を効果的に減弱することができる。
【００３５】
線材がモニタリングモジュール１に対して発生する電磁干渉を回避するため、１つの実施例において、モニタリングモジュール１はＲＦ無線通信方式で無線通信モジュール３と通信する。
【００３６】
主制御モジュール２は、モニタリングモジュール１、無線通信モジュール３及び駆動モータに電気的に接続される。制御ホストマシンは、無線通信モジュール３が受信した制御信号を受信して解析するとともに、制御信号に基づき駆動モータまたは電動ベッド中のその他の機器を制御して、電動ベッドの状態を調整することに適している。電動ベッドの状態には、ベッドパネルの傾斜角度、モータの状態及び指示ランプの状態などが含まれる。ベッドパネルは、頭部ベッドパネル、下肢部ベッドパネル、臀部ベッドパネル及び腰部ベッドパネルのうちの少なくとも１種である。
【００３７】
１つの実施例において、主制御モジュール２は、無線通信モジュール３が発した制御信号に基づき、モータ主軸回転数及び巻数などを含む駆動モータに対する制御量を調整する。
【００３８】
主制御モジュール２は、制御信号に基づき適時に電動ベッドの状態に対して各種の調整を行い、ユーザの睡眠状況を効果的に改善する。例えば、ユーザが鼾をかいていることをモニタリングモジュール１が検知すると、主制御モジュール２は事前の設定に基づき電動ベッドの腰部ベッドパネルを一定角度まで立ち上げ、睡眠時に舌、軟口蓋、口蓋垂が弛み、重力により後に落ち込んで上気道を塞ぐことを回避し、ユーザの鼾症状を効果的に軽減して、ユーザの睡眠状況を効果的に改善する。
【００３９】
１つの実施例において、主制御モジュール２は、更に電動ベッドの状態を含む情報データを無線通信モジュール３に伝送する。
【００４０】
無線通信モジュール３は、Ｗｉ−Ｆｉモジュールであり、サーバと無線接続するために、状況に応じてブルートゥースモジュール、赤外線モジュール、ＺｉｇＢｅｅモジュールなどとすることもできる。無線通信モジュール３は、受信したモニタリングデータをサーバに伝送し、かつ、サーバが送信した制御信号を受信するとともに、前記主制御モジュール２に前記制御信号を送信して、制御ホストマシンにより実行すべき操作を確定することに適している。
【００４１】
１つの実施例において、無線通信モジュール３は、主制御モジュール２が送信した情報データを受信するとともに、当該データをサーバに送信する。電動ベッドの状態には、ベッドパネルの傾斜角度、モータの状態及び指示ランプの状態などが含まれる。
【００４２】
サーバは、それぞれ電動ベッドの無線通信モジュール３及び端末機器に無線接続される。当該接続方式は、Ｗｉ−Ｆｉ、ブルートゥース、赤外線またはＺｉｇＢｅｅのうちの少なくとも１種とすることができる。前記サーバは、端末機器が送信する設定信号及び前記モニタリングデータに基づき前記制御信号を生成する。
【００４３】
具体的に述べると、サーバ中に電動ベッドの状態に関する処理プログラムが設定される。サーバは、一方においては電動ベッドのモニタリングデータを受信し、他方においては端末機器が送信する設定信号を受信する。処理プログラムは、モニタリングデータ及び設定信号に基づき、電動ベッドの無線通信モジュール３に制御信号を送信するか否かを判断して、決定する。例えば、端末機器が心拍数６０〜１４０回／分の閾値範囲を予め設定するとともに、サーバに関連する設定信号を送信する。サーバが受信したモニタリングデータが当該範囲を超えている場合は、無線通信モジュール３に制御信号を送信し、例えば、頭部ベッドパネルを立ち上げる、または枕頭ランプを点灯するなど、電動ベッドの状態を調整する。逆に、モニタリングデータが当該閾値範囲内である場合、サーバは何らの制御信号も送信しない。また例えば、２２時以降にユーザがベッドを離れるとフロアランプが自動的に点灯するよう端末に予め設定するとともに、サーバに関連する設定信号を送信する。ユーザがベッドを離れたとのデータをサーバが受信すると、無線通信モジュール３に制御信号を送信し、フロアランプを点灯する。
【００４４】
オプションとして、サーバは、更に、ユーザの睡眠状況を分析して、より正確な睡眠の質改善計画を立案するために、ユーザの各項バイタルサインパラメータ、例えば心拍数、呼吸数、鼾音の強さ、呼吸の強さ、寝返り及び寝転がり回数を記憶することができる。
【００４５】
オプションとして、サーバは、無線通信モジュール３から電動ベッドにおけるユーザのバイタルサインを示すモニタリングデータを受信するとともに、端末機器に送信する。
【００４６】
オプションとして、サーバは、無線通信モジュール３から電動ベッドの状態を含む情報データを受信するとともに、端末機器に送信する。
【００４７】
オプションとして、サーバは、クラウド（コンピューティング）サーバである。
【００４８】
端末機器は、携帯電話、タブレット端末、ノートパソコンなどを含み、端末機器に電動ベッドを制御するＡｐｐアプリケーションプログラム及び／またはソフトウェアがインストールされる。端末機器はインストールされているＡｐｐアプリケーションプログラム及び／またはソフトウェアを介して端末機器内部の無線モジュールがサーバに設定信号を送信するように制御する。オプションとして、前記端末機器とサーバとの通信方式には、Ｗｉｆｉ、２Ｇ、３Ｇ及び４Ｇのうちの少なくとも１種が含まれる。
【００４９】
この種のＡｐｐアプリケーションプログラム及び／またはソフトウェアは、ユーザが選択するための設定項目選択インターフェイスを含むヒューマンマシン相互インターフェイスを含み、ユーザは当該インターフェイスを介して各種の電動ベッドの設定情報を自己定義するとともに、当該設定信号をサーバに送信する。設定信号は、下記の各項モニタリングデータ、つまり心拍数、呼吸数、鼾音の強さ、呼吸の強さ、寝返り及び寝転がり回数の閾値を含む。ユーザは、クリック、ダブルクリック、スライド、タッチ、数値入力により設定すべき情報を選択することができる。
【００５０】
オプションとして、前記相互インターフェイスは、ユーザに電動ベッドの状態を含む情報データを提供する表示インターフェイスを含む。前記電動ベッドの状態には、ベッドパネルの傾斜角度、モータの状態及び指示ランプの状態のうちの少なくとも１種が含まれる。
【００５１】
オプションとして、前記相互インターフェイスは、更に、ユーザにユーザのバイタルサインを示すモニタリングデータを提供する表示インターフェイスを含むことができる。前記モニタリングデータは、下記データ、つまり心拍数、呼吸数、鼾音の強さ、呼吸の強さ、寝返り及び寝転がり回数のうちの少なくとも１種を含むことができる。
【００５２】
端末機器は、サーバから上記情報データ及びモニタリングデータを受信する。
【００５３】
図２には、更に本発明におけるインテリジェント電動ベッドシステムの制御の流れ図が示されている。
【００５４】
一方において、電動ベッドのモニタリングモジュール１は、電動ベッド上におけるユーザの各項バイタルサインをリアルタイムでモニタリングするとともに、ユーザのバイタルサインを示すモニタリングデータを電動ベッドの無線通信モジュール３に送信する。当該無線通信モジュール３はモニタリングデータをサーバに送信する。
【００５５】
他方において、端末機器は、設定信号をサーバに伝送し、当該設定信号には各項モニタリングデータの閾値が含まれる。
【００５６】
サーバは、上記モニタリングデータ及び設定信号に基づき、制御信号を生成して無線通信モジュール３に送信するか否かを、処理プログラムを介して判断する。具体的に述べると、モニタリングデータが設定されている閾値を超えている場合は、制御信号を送信し、逆の場合は、送信しない。次いで、無線通信モジュール３が当該制御信号を主制御モジュール２に送信して、電動ベッドの状態を調整する。
【００５７】
オプションとして、サーバは、モニタリングデータを端末機器に送信し、当該端末機器に当該モニタリングデータを表示させる。
【００５８】
オプションとして、主制御モジュール２は、電動ベッドの状態を含む情報データを無線通信モジュール３に送信し、後者は当該情報データをサーバに送信する。サーバは情報データを端末機器に送信し、当該端末機器に当該情報データを表示させる。
【００５９】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【００６０】
当業者であれば、複数種の実施例及び複数種の変形や改良を掌握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本実発明の保護範囲に属しているものとする。
【図１】
2019507619.tif 000003
【図２】
2019507619.tif 000004
【国際調査報告】
2019507619.tif 000005
2019507619.tif 000006
2019507619.tif 000007
2019507619.tif 000008